【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
サーバ装置と通信する処理装置側通信手段と、
処理装置側記憶手段と、
商品の売上データをその登録時の単位時間帯に対応付けて前記処理装置側記憶手段に記憶し、前記処理装置側記憶手段に記憶された売上データから単位時間帯別の売上データを作成して前記処理装置側通信手段を介して前記サーバ装置に送信する処理装置側制御手段と、を備える売上データ処理装置。
【請求項２】
前記処理装置側制御手段は、一定間隔毎に、前記処理装置側記憶手段に記憶された売上データから単位時間帯別の売上データを作成して前記処理装置側通信手段を介して前記サーバ装置に送信する請求項１に記載の売上データ処理装置。
【請求項３】
前記処理装置側制御手段は、売上データの精算のタイミングで、前記処理装置側記憶手段に記憶された売上データから単位時間帯別の売上データを作成して前記処理装置側通信手段を介して前記サーバ装置に送信する請求項１又は２に記載の売上データ処理装置。
【請求項４】
請求項１から３のいずれか一項に記載の売上データ処理装置と、
前記サーバ装置と、を備え、
前記サーバ装置は、
前記売上データ処理装置と通信するサーバ装置側通信手段と、
サーバ装置側記憶手段と、
前記サーバ装置側通信手段を介して前記売上データ処理装置から単位時間帯別の売上データを受信して前記サーバ装置側記憶手段に記憶するサーバ装置側制御手段と、
を備えるネットワークシステム。
【請求項５】
前記サーバ装置側通信手段は、端末装置と通信し、
前記サーバ装置側記憶手段は、単位時間帯と、単位時間帯からなる時間帯との関係を示す時間帯設定情報を記憶し、
前記サーバ装置側の制御手段は、前記サーバ装置側の記憶手段に記憶された時間帯設定情報を用いて、前記サーバ装置側記憶手段に記憶された単位時間帯別の売上データから時間帯別に売上データを集計し、前記サーバ装置側通信手段を介して前記時間帯別の売上データの集計結果を前記端末装置に送信する請求項４に記載のネットワークシステム。
【請求項６】
前記サーバ装置側制御手段は、前記サーバ装置側通信手段を介して前記端末装置から単位時間帯に対応する時間帯を設定するための時間帯設定入力情報を受信し、当該時間帯設定入力情報に従って前記サーバ装置側記憶手段に記憶された時間帯設定情報を変更する請求項５に記載のネットワークシステム。
【請求項７】
前記処理装置側記憶手段は、商品を指定する商品指定情報、又は商品を分類する部門と、前記単位時間帯とが対応付けられたリンク情報を記憶し、
前記処理装置側制御手段は、前記処理装置側記憶手段に記憶されたリンク情報を用いて、前記単位時間帯別の売上データを商品指定情報又は部門と対応付けて前記処理装置側通信手段を介して前記サーバ装置に送信し、
前記処理装置側制御手段は、前記サーバ装置側通信手段を介して前記売上データ処理装置から、商品指定情報又は部門と対応付けられた単位時間帯別の売上データを受信して前記サーバ装置側記憶手段に記憶する請求項５又は６に記載のネットワークシステム。
【請求項８】
前記売上データ処理装置は、
日時を計時する処理装置側計時手段を備え、
前記サーバ装置は、日時を計時するサーバ装置側計時手段を備え、
前記処理装置側制御手段は、前記処理装置側計時手段から売上データ送信の送信日時情報を取得し、当該送信日時情報を含む単位時間帯別の売上データを前記処理装置側通信手段を介して前記サーバ装置に送信し、
前記サーバ装置側制御手段は、前記サーバ装置側計時手段から現在日時情報を取得し、前記サーバ装置側記憶手段に記憶された単位時間帯別の売上データのうち、前記送信日時情報以後の単位時間帯の売上データと、前記現在日時情報から単位時間帯以内前の売上データとを集計対象としない請求項５から７のいずれか一項に記載のネットワークシステム。
【請求項９】
前記一定間隔毎のタイミングは、データ処理装置の開設から一定間隔毎のタイミングである請求項４から８のいずれか一項に記載のネットワークシステム。
【請求項１０】
前記処理装置側制御手段は、前記処理装置側通信手段を介した前記サーバ装置への単位時間帯別の売上データの送信中に商品の売上データの登録が始まると、当該単位時間帯別の売上データの送信を中断し、当該売上データの登録の後に、前記単位時間帯別の売上データの送信を再開する請求項４から９のいずれか一項に記載のネットワークシステム。
【請求項１１】
前記処理装置側制御手段は、単位時間帯別の売上データを０圧縮して前記処理装置側通信手段を介して前記サーバ装置へ送信する請求項４から１０のいずれか一項に記載のネットワークシステム。
【請求項１２】
コンピュータを、
サーバ装置と通信する処理装置側通信手段、
処理装置側記憶手段、
商品の売上データをその登録時の単位時間帯に対応付けて前記処理装置側記憶手段に記憶し、前記処理装置側記憶手段に記憶された売上データから単位時間帯別の売上データを作成して前記処理装置側通信手段を介して前記サーバ装置に送信する処理装置側制御手段、
として機能させるためのプログラム。
【手続補正２】
【補正対象書類名】明細書
【補正対象項目名】０００８
【補正方法】変更
【補正の内容】
【０００８】
上記課題を解決するために、請求項１に記載の発明の売上データ処理装置は、
サーバ装置と通信する処理装置側通信手段と、
処理装置側記憶手段と、
商品の売上データをその登録時の単位時間帯に対応付けて前記処理装置側記憶手段に記憶し、前記処理装置側記憶手段に記憶された売上データから単位時間帯別の売上データを作成して前記処理装置側通信手段を介して前記サーバ装置に送信する処理装置側制御手段と、を備える。
請求項２に記載の売上データ処理装置は、請求項１に記載の売上データ処理装置において、前記処理装置側制御手段は、一定間隔毎に、前記処理装置側記憶手段に記憶された売上データから単位時間帯別の売上データを作成して前記処理装置側通信手段を介して前記サーバ装置に送信する。
請求項３に記載の売上データ処理装置は、請求項１又は２に記載の売上データ処理装置において、前記処理装置側制御手段は、売上データの精算のタイミングで、前記処理装置側記憶手段に記憶された売上データから単位時間帯別の売上データを作成して前記処理装置側通信手段を介して前記サーバ装置に送信する。
【手続補正３】
【補正対象書類名】明細書
【補正対象項目名】０００９
【補正方法】変更
【補正の内容】
【０００９】
請求項４に記載の発明のネットワークシステムは、
請求項１から３のいずれか一項に記載の売上データ処理装置と、
前記サーバ装置と、を備え、
前記サーバ装置は、前記売上データ処理装置と通信するサーバ装置側通信手段と、
サーバ装置側記憶手段と、
前記サーバ装置側通信手段を介して前記売上データ処理装置から単位時間帯別の売上データを受信して前記サーバ装置側記憶手段に記憶するサーバ装置側制御手段と、を備える。
【手続補正４】
【補正対象書類名】明細書
【補正対象項目名】００１０
【補正方法】変更
【補正の内容】
【００１０】
請求項５に記載のネットワークシステムは、請求項４に記載のネットワークシステムにおいて、
前記サーバ装置側通信手段は、端末装置と通信し、
前記サーバ装置側記憶手段は、単位時間帯と、単位時間帯からなる時間帯との関係を示す時間帯設定情報を記憶し、
前記サーバ装置側の制御手段は、前記サーバ装置側の記憶手段に記憶された時間帯設定情報を用いて、前記サーバ装置側記憶手段に記憶された単位時間帯別の売上データから時間帯別に売上データを集計し、前記サーバ装置側通信手段を介して前記時間帯別の売上データの集計結果を前記端末装置に送信する。
【手続補正５】
【補正対象書類名】明細書
【補正対象項目名】００１１
【補正方法】変更
【補正の内容】
【００１１】
請求項６に記載のネットワークシステムは、請求項５に記載のネットワークシステムにおいて、
前記サーバ装置側制御手段は、前記サーバ装置側通信手段を介して前記端末装置から単位時間帯に対応する時間帯を設定するための時間帯設定入力情報を受信し、当該時間帯設定入力情報に従って前記サーバ装置側記憶手段に記憶された時間帯設定情報を変更する。
【手続補正６】
【補正対象書類名】明細書
【補正対象項目名】００１２
【補正方法】変更
【補正の内容】
【００１２】
請求項７に記載のネットワークシステムは、請求項５又は６に記載のネットワークシステムにおいて、
前記処理装置側記憶手段は、商品を指定する商品指定情報、又は商品を分類する部門と、前記単位時間帯とが対応付けられたリンク情報を記憶し、
前記処理装置側制御手段は、前記処理装置側記憶手段に記憶されたリンク情報を用いて、前記単位時間帯別の売上データを商品指定情報又は部門と対応付けて前記処理装置側通信手段を介して前記サーバ装置に送信し、
前記処理装置側制御手段は、前記サーバ装置側通信手段を介して前記売上データ処理装置から、商品指定情報又は部門と対応付けられた単位時間帯別の売上データを受信して前記サーバ装置側記憶手段に記憶する。
【手続補正７】
【補正対象書類名】明細書
【補正対象項目名】００１３
【補正方法】変更
【補正の内容】
【００１３】
請求項８に記載のネットワークシステムは、請求項５から７のいずれか一項に記載のネットワークシステムにおいて、
前記売上データ処理装置は、
日時を計時する処理装置側計時手段を備え、
前記サーバ装置は、日時を計時するサーバ装置側計時手段を備え、
前記処理装置側制御手段は、前記処理装置側計時手段から売上データ送信の送信日時情報を取得し、当該送信日時情報を含む単位時間帯別の売上データを前記処理装置側通信手段を介して前記サーバ装置に送信し、
前記サーバ装置側制御手段は、前記サーバ装置側計時手段から現在日時情報を取得し、前記サーバ装置側記憶手段に記憶された単位時間帯別の売上データのうち、前記送信日時情報以後の単位時間帯の売上データと、前記現在日時情報から単位時間帯以内前の売上データとを集計対象としない。
【手続補正８】
【補正対象書類名】明細書
【補正対象項目名】００１４
【補正方法】変更
【補正の内容】
【００１４】
請求項９に記載のネットワークシステムは、請求項４から８のいずれか一項に記載のネットワークシステムにおいて、
前記一定間隔毎のタイミングは、データ処理装置の開設から一定間隔毎のタイミングである。
【手続補正９】
【補正対象書類名】明細書
【補正対象項目名】００１５
【補正方法】変更
【補正の内容】
【００１５】
請求項１０に記載のネットワークシステムは、請求項４から９のいずれか一項に記載のネットワークシステムにおいて、
前記処理装置側制御手段は、前記処理装置側通信手段を介した前記サーバ装置への単位時間帯別の売上データの送信中に商品の売上データの登録が始まると、当該単位時間帯別の売上データの送信を中断し、当該売上データの登録の後に、前記単位時間帯別の売上データの送信を再開する。
【手続補正１０】
【補正対象書類名】明細書
【補正対象項目名】００１６
【補正方法】変更
【補正の内容】
【００１６】
請求項１１に記載のネットワークシステムは、請求項４から１０のいずれか一項に記載のネットワークシステムにおいて、
前記処理装置側制御手段は、単位時間帯別の売上データを０圧縮して前記処理装置側通信手段を介して前記サーバ装置へ送信する。
【手続補正１１】
【補正対象書類名】明細書
【補正対象項目名】００１７
【補正方法】変更
【補正の内容】
【００１７】
請求項１２に記載の発明のプログラムは、
コンピュータを、
サーバ装置と通信する処理装置側通信手段、
処理装置側記憶手段、
商品の売上データをその登録時の単位時間帯に対応付けて前記処理装置側記憶手段に記憶し、前記処理装置側記憶手段に記憶された売上データから単位時間帯別の売上データを作成して前記処理装置側通信手段を介して前記サーバ装置に送信する処理装置側制御手段、
として機能させる。